(57)【要約】【課題】出隅部又は入隅部に兼用して取り付けることができるブラケット用のスペ−サ−で、市販のさまざまな大きさのブラケットにもうまく対応して極めて簡単に取り付け可能で、在庫も１種類で良いので経済的で、しかも、取り付け強度、精度にも優れた出隅入隅兼用スペ−サ−及び手すり取り付け構造を提供する。【解決手段】壁面の出隅又は入隅に兼用して取り付け可能なブラケット用のスペ−サ−であって、４個の対称な分割体からなり、該分割体は、壁面の出隅又は入隅と平行な傾斜面からなる傾斜底面とその対向面をなす上面を有し、該上面と略直交する４側面のうち２側面が、矩形の平行面からなる合接面となし、他方２側面を台形の平行面からなる合接面となし、前記合接面間に適宜大きさの調節片を介入させ、スペ−サ−の上面の大きさを適宜調節可能なようにした。【選択図】　　　　図４
2004108121.tif 000002
【特許請求の範囲】
【請求項１】
ブラケットと出隅又は入隅の壁面との間に設けられ、壁面の出隅又は入隅に兼用して取り付けることのできるブラケット用のスペ−サ−であって、該スペ−サ−は、上下左右４個の対称な分割体からなり、該分割体は、壁面の出隅又は入隅と平行な傾斜面からなる傾斜底面とその対向面をなす平担部からなる上面を有し、該上面と略直交する方向の４側面のうちの２側面が、大小大きさの異なる矩形の平行面からなる合接面となし、他方の２側面が、同じ大きさの台形の平行面からなる合接面となし、前記合接面間に適宜の大きさの調節片を介入させることによってスペ−サ−の上面平担部の大きさを適宜調節可能とすることを特徴とする出隅入隅兼用スペ−サ−。
【請求項２】
前記上下左右４個の分割体の合接面どうしを挿通する連結用小孔を分割体のそれぞれの合接面に貫通させたことを特徴とする請求項１に記載の出隅入隅兼用スペ−サ−。
【請求項３】
前記請求項１又は２のいずれかに記載の出隅入隅兼用スペ−サ−において、該スペ−サ−の上下左右４個の分割体の傾斜底面をブラケット取り付け箇所の出隅又は入隅の壁面の傾斜面に合わせ、且つ、ブラケットの取り付け座の底面の大きさに応じて、それぞれの合接面どうしの間に適宜調節片を介入させ、それぞれの合接面どうしを上下左右対称に当接させ、連結用小孔を利用して接合し、ブラケット用スペ−サ−となし、ブラケット取り付け座の底部を前記スペ−サ−上部の平担部に合わせ、取り付け座からスペ−サ−を介して壁面の出隅又は入隅部に木ネジ釘等を打ち込むことを特徴とする手すりの取り付け構造。
【発明の詳細な説明】
【０００１】
【発明の属する技術分野】
本発明は、壁面の出隅部又は入隅部に兼用して取り付けることのできる手すり用ブラケットと壁面との間に取り付けるスペ−サ−及び該スペ−サ−を用いた手すりの取り付け構造に関する。
【０００２】
【従来の技術】
従来、壁面の出隅部又は入隅部に手すりを取り付けるためには、出隅の場合、図５の（イ）に示すように、出隅コ−ナ−部Ｄに面取り部Ｒを設け、該面取り部Ｒにブラケット取り付け座を取り付けビス等で取り付けるか又は出隅コ−ナ−部Ｄに断面が略Ｌ字型の治具（図示せず）を介して取り付けるかいずれかであった。
【０００３】
しかし、これらの方法のうち、前者においては、出隅コ−ナ−部Ｄに面取り部Ｒを特別に加工しなければならず、施工手間が余計にかかるという問題があり、また、後者においては、断面が略Ｌ字型の治具を別に用意しなければならないといった問題があった。一方、入隅の場合は図５の（ロ）に示すように、入隅部コ−ナ−部Ｉに断面が略三角形型の取り付け片Ｖを介して取り付けていたが、同様にして、別途特別な取り付け片Ｖを用意しなければならないといった問題点があった。
【０００４】
そこで、上記従来方法の問題点を解消するべく出隅部分において、背面に略Ｖ字状の切欠凹部を有する出隅用のスペ−サ−を特別に用意し、ブラケット基部の取り付け座を前記スペ−サ−に重ね、取り付けビスを打入して取り付けているものもある。（例えば、特許文献１参照）
【特許文献１】
特開２００１−３２４９０号公報（第２−３頁、第１図）
【０００５】
【発明が解決しようとする課題】
しかしながら、上記、特開２００１−３２４９０号公報に開示されている構成では、出隅コ−ナ−部には使用可能であるが入隅コ−ナ−部に使用できない。入隅コ−ナ−部に手すりを取り付ける時は入隅用取り付け部材を別途用意しなければならなかった。
【０００６】
また、ブラケットの取り付け座底面とと出隅用スペ−サ−上面はその形状と大きさを合わせるように設計されており、市販のさまざまなブラケットには残念ながら対応できなかった。
【０００７】
本発明の目的は、住宅内の壁面の出隅部又は入隅部に兼用して取り付けることができるブラケット用のスペ−サ−で、市販のさまざまな大きさのブラケットにもうまく対応して取り付けることができ、極めて簡単に取り付け可能で施工性が良く、在庫も１種類で良いので経済的で、しかも、取り付け強度的にも精度的にも優れた出隅入隅兼用スペ−サ−及び該スペ−サ−を用いた手すりの取り付け構造を提供することにある。
【０００８】
【課題を解決するための手段】
上記目的を達成するために本発明に係る請求項１に記載の発明は、ブラケットと出隅又は入隅の壁面との間に設けられ、壁面の出隅又は入隅に兼用して取り付けることのできるブラケット用のスペ−サ−であって、該スペ−サ−は、上下左右４個の対称な分割体からなり、該分割体は、壁面の出隅又は入隅と平行な傾斜面からなる傾斜底面とその対向面をなす平担部からなる上面を有し、該上面と略直交する方向の４側面のうちの２側面が、大小大きさの異なる矩形の平行面からなる合接面となし、他方の２側面が、同じ大きさの台形の平行面からなる合接面となし、前記合接面間に適宜の大きさの調節片を介入させることによってスペ−サ−の上面平担部の大きさを適宜調節可能とすることを特徴とする。
【０００９】
係る構成から、前記スペ−サ−が上下左右４個の対称な分割体からなっており、しかも、壁面の出隅又は入隅と平行な傾斜面からなる傾斜底面を有しているので、前記、大小大きさの異なる矩形の平行面からなる合接面のうち、小さい方の合接面どうしを当接させ、さらに、同じ大きさの台形の平行面からなる合接面どうしを当接させてスペ−サ−となし、該スペ−サ−の傾斜底面を出隅コ−ナ−部の壁面の傾斜面に沿うようにして設置すれば出隅用スペ−サ−となる。逆に、前記、大小大きさの異なる矩形の合接面のうち、大きい方の合接面どうしを当接させ、さらに、同じ大きさの台形の平行面からなる合接面どうしを当接させて、スペ−サ−となし、該スペ−サ−の傾斜底面を入隅コ−ナ−部の壁面の傾斜面に沿うようにして設置すれば入隅用スペ−サ−となる。
【００１０】
このように、出隅用又は入隅用のブラケットのスペ−サ−が極めて簡単に形成でき、しかも形成されたスペ−サ−の上面平担部の大きさが市販のブラケットに適宜合わせることが極めて簡単に可能となる。このようにして形成されたスペ−サ−の平担部からなる上面にブラケットの取り付け座を載置すれば出隅又は入隅兼用のブラケットの取り付けが完了する。従って、出隅用、入隅用の両方のスペ−サ−を特別に用意しなくても、１種類のスペ−サ−で出隅用、入隅用両方に対応できるので、現場での突然の仕様変更にも柔軟に対応可能で施工性も大きく向上する。しかも在庫しておくのにも１種類でよく大変経済的である。
【００１１】
本発明の請求項２に記載の発明は、請求項１に記載の発明において、前記上下左右４個の分割体の合接面どうしを挿通する連結用小孔を分割体のそれぞれの合接面に貫通させたことを特徴とする。
【００１２】
係る構成から、前記上下左右４個の分割体の大小大きさの異なる矩形の平行面からなる合接面の小さい方どうし又は大きい方どうしを調節片を介して当接させる際に、また、同じ大きさの台形の平行面からなる他方の２側面の合接面どうしを調節片を介して当接させる際に、それぞれの合接面どうしを挿通する前記連結用小孔を利用してボルト、ナット等を用いて連結させると、連結後のスペ−サ−は強度的にも安定したものとなる。また、前記合接面どうしを当接させる際に合接面どうしが相互にずれることが防止できるので、連結精度の高いものが得られる。
【００１３】
本発明の請求項３に記載の発明は、前記請求項１又は２のいずれかに記載の出隅入隅兼用スペ−サ−において、該スペ−サ−の上下左右４個の分割体の傾斜底面をブラケット取り付け箇所の出隅又は入隅の壁面の傾斜面に合わせ、且つ、ブラケットの取り付け座の底面の大きさに応じて、それぞれの合接面どうしの間に適宜調節片を介入させ、それぞれの合接面どうしを上下左右対称に当接させ、連結用小孔を利用して接合し、ブラケット用スペ−サ−となし、ブラケット取り付け座の底部を前記スペ−サ−上部の平担部に合わせ、取り付け座からスペ−サ−を介して壁面の出隅又は入隅部に木ネジ釘等を打ち込むことを特徴とする。
【００１４】
係る構成から、前記スペ−サ−が上下左右２個の対称な４個の分割体からなっており、該分割体の前記接合面どうしの間に適宜の大きさの調節片を介入させて接合面どうしを壁面の傾斜面に沿うようにして当接すれば、出隅又は入隅用のブラケットのためのスペ−サ−が極めて簡単に形成可能で、しかも市販のブラケットの取り付け座のさまざまな大きさにも有効に対応できる。
【００１５】
さらに、出隅用、入隅用の両方のスペ−サ−を特別に用意しなくても、１種類のスペ−サ−で出隅用、入隅用両方に対応できるので、現場での突然の仕様変更にも柔軟に対応可能で施工性も大きく向上する。しかも在庫しておくのにも１種類でよく大変経済的である。
【００１６】
さらに、前記上下左右４個の分割体の合接面のうち、矩形からなる小さい方どうし又は大きい方どうしを当接させる際に、また、他方の２側面の台形からなる同じ大きさの合接面どうしを当接させる際に、合接面どうしを挿通する前記連結用小孔を利用してボルト、ナット等を用いて連結させるので、連結後のスペ−サ−は強度的にも安定したものとなる。また、前記合接面どうしを当接させる際に合接面どうしが相互にずれることが防止できるので、連結精度の高いものが得られる。
【００１７】
【発明の実施の形態】
以下、本発明の実施の形態の一例を説明する。図１は本発明に係る出隅入隅兼用スペ−サ−の実施の形態の一例を示す。（イ）は分割体４個を出隅用に配置した場合の斜視図を示し、（ロ）は分割体４個を入隅用に配置した場合の斜視図を示し、（ハ）は分割体１個の斜視図を示す。図２は出隅コ−ナ−部へ取り付ける場合の取り付け例を示し、（イ）は分割体間に調節片を用いなかった場合の平面図を示し、（ロ）はその側面図を示し、（ハ）は調節片を分割体間に介入させた場合の平面図を示し、（ニ）はその側面図を示す。図３は入隅コ−ナ−部へ取り付ける場合の取り付け例を示し、（イ）は分割体間に調節片を用いなかった場合の平面図を示し、（ロ）はその側面図を示し、（ハ）は調節片を分割体間に介入させた場合の平面図を示し、（ニ）はその側面図を示す。図４は本発明の出隅入隅兼用スペ−サ−にブラケットを取り付ける場合の取り付け例を示し、特に、ブラケットの取り付け座の大きさに合わせてスペ−サ−の大きさを調節片で調節するところを示す。（イ）は調節片を用いない出隅部への取り付け例を示し、（ロ）は調節片を用いた出隅部への取り付け例をしめし、（ハ）は調節片を用いない入隅部への取り付け例を示し、（ニ）は調節片を用いた入隅部への取り付け例を示す。
【００１８】
図１〜４において、１はブラケットを示し、その上部先端は手すり本体１２を載置する手すり受け部１ａとなっており、下端はスペ−サ−２に重ねるように載置される取り付け座１ｂとなっており、支柱１ｃによって相互に連結されている。
【００１９】
一方、スペ−サ−２は出隅コ−ナ−部Ｄ又は入隅コ−ナ−部Ｉの壁下地材６に直接取り付けられる。該スペ−サ−２は上下左右４個の対称な分割体２ａからなっており、該分割体２ａは出隅コ−ナ−部Ｄ又は入隅コ−ナ−部Ｉの壁下地材６の傾斜面と略平行な傾斜底面３を有している。また、前記傾斜底面３と対向面をなす上面４は平担部となっている。さらに、前記上面４と略直交する方向の４側面のうち、２側面は、大小大きさの異なる矩形の平行面からなる矩形合接面大５ａ、矩形合接面小５ｂとなっている。また、他方の２側面は、同じ大きさの台形合接面５ｃ、５ｃ’となっている。
【００２０】
また、前記合接面５ａ、５ｂには、２個の分割体をボルト、ナットで緊結するための連結用小孔ｐが貫通状態で設けられている。さらに他方の分割面５ｃ、５ｃ’においても２個の分割体をボルト、ナットで緊結するための連結用小孔ｐが貫通状態で設けられている。
【００２１】
出隅コ−ナ−部Ｄへ取り付ける場合は、図２及び図４の（イ）（ロ）に示すように、最初に取り付け予定の市販のブラケットの取り付け座１ｂの大きさを測定し、４個の分割体の間に介入させる調節片の大きさを決める。
【００２２】
図２の（イ）（ロ）及び図４の（イ）の例のように、ブラケットの取り付け座１ｂが比較的小さい場合、分割体２ａの間に調節片が不要であり、スペ−サ−２の上面４の大きさは調節片を介入させない大きさ（Ｌ１×Ｌ１）でよい。また、図２の（ハ）（ニ）及び図４の（ロ）の例のように、ブラケットの取り付け座１ｂが比較的大きい場合、分割体２ａの間に調節片が必要であり、スペ−サ−２の上面４の大きさは適当な大きさの調節片を介入させた大きさ（Ｌ２×Ｌ２）が必要となる。取り付け予定の市販のブラケットの取り付け座１ｂの大きさを前もって測定し、４個の分割体２ａの間に介入させるべき調節片の大きさを決めておく。調節片を木片又は合板の端材等を利用して現場加工で用意する。
【００２３】
次に、４個の分割体のうち２個を間に調節片を介して連結し、次に連結した２個どうしの間にも調節片を介入させて連結した２個どうしを連結し、４個からなる連結体のスペ−サ−２を形成する。連結の方法は、前記分割体２ａの４個のうち２個の合接面小５ｂどうしを調節片を介して当接させ、上面４どうしのずれがないか又傾斜底面３どうしにもずれがないか、又合接面に設けられた連結用小孔ｐどうしにもずれが生じていないことを確認後、前記連結用小孔ｐにボルトＢを挿通させ、ナットＮを用いてズレに注意しながらしっかりと緊結する。続いて、２個連結が完了したものどうしの台形合接面５ｃと５ｃ’どうしを間に調節片を介して当接させ、上面４どうしのずれがないか又傾斜底面３どうしにもずれがないか、又合接面に設けられた連結用小孔ｐどうしにもずれが生じていないことを確認後、前記連結用小孔ｐにボルトＢを挿通させ、ナットＮを用いてズレに注意しながらしっかりと緊結する。
【００２４】
また、入隅コ−ナ−部Ｉに取り付ける場合は、図３及び図４の（ハ）（ニ）に示すように、上記と逆で、前記分割体２ａの４個のうち２個の合接面大５ａどうしを調節片を介して当接させ、上面４どうしのずれがないか又傾斜底面３どうしにもずれがないか、又合接面に設けられた連結用小孔ｐどうしにもずれが生じていないことを確認後、前記連結用小孔ｐにボルトＢを挿通させ、ナットＮを用いてズレに注意しながらしっかりと緊結する。続いて、２個連結が完了したものどうしの台形合接面５ｃと５ｃ’どうしを間に調節片を介して当接させ、上面４どうしのずれがないか又傾斜底面３どうしにもずれがないか、又合接面に設けられた連結用小孔ｐどうしにもずれが生じていないことを確認後、前記連結用小孔ｐにボルトＢを挿通させ、ナットＮを用いてズレに注意しながらしっかりと緊結する。
【００２５】
この場合も、図３の（イ）（ロ）及び図４の（ハ）の例のように、ブラケットの取り付け座１ｂが比較的小さい場合、分割体２ａの間に調節片が不要であり、スペ−サ−２の上面４の大きさは調節片を介入させない大きさ（Ｌ１×Ｌ１）でよい。また、図３の（ハ）（ニ）及び図４の（ニ）の例のように、ブラケットの取り付け座１ｂが比較的大きい場合、分割体２ａの間に調節片が必要であり、スペ−サ−２の上面４の大きさは適当な大きさの調節片を介入させた大きさ（Ｌ２×Ｌ２）が必要となる。取り付け予定の市販のブラケットの取り付け座１ｂの大きさを前もって測定し、４個の分割体２ａの間に介入させるべき調節片の大きさを決めておく。調節片を木片又は合板の端材等を利用して現場加工で用意する。
【００２６】
次に、図２、図３に示すように、手すり本体１２を取り付ける予定の箇所の出隅コ−ナ−部Ｄ又は入隅コ−ナ−部Ｉに、緊結完了させた前記スペ−サ−２の傾斜底面３を壁下地材６の傾斜面に沿わせてスペ−サ−２を設置し、スペ−サ−２の上面４の平担部にブラケット１の取り付け座１ｂを重ね合わせる。次に、前記、取り付け座１ｂにある小孔を利用して木ネジ等を用いて壁下地材６及び柱７へ取り付ける。このようにして、出隅又は入隅コ−ナ−部へのスペ−サ−及びブラケットの取り付けが完了する。この時、スペ−サ−に木ネジ用下穴を所定位置に現場合わせであらかじめ設けておくとよい。
【００２７】
上記のように、本発明の出隅入隅兼用スペ−サ−の実施形態の一例を示したが、ブラケットの取り付け座の大きさ等は市販のものでさまざま異なるが、本発明の出隅入隅兼用スペ−サ−を用いれば、さまざま大きさの異なるブラケットの取り付け座にうまく対応することが可能となる。また、本発明の出隅入隅兼用ブラケットの材質は、市販のブラケットの取り付け座に有る小孔に合わせて現場加工で木ネジ用下穴を加工するので、合成樹脂製、又は木製、アルミニウム製など現場で穴加工し易いものが最適である。
【００２８】
【発明の効果】
以上のように、本発明のスペ−サ−によれば、住宅内の壁面の出隅部又は入隅部に兼用して取り付けることができるブラケット用のスペ−サ−が極めて簡単に形成でき、取り付け予定の市販のブラケットの取り付け座の大きさ等がさまざまであっても、その大きさにうまく合わせてスペ−サ−の大きさを調節することが可能で、しかも施工性が良好で在庫も１種類で良いので経済的である。さらに、本発明のブラケットを用いて取り付けたコ−ナ−部の手すり構造は、取り付け強度と取り付け精度に優れたものとなる。
【図面の簡単な説明】
【図１】本発明の出隅入隅兼用スペ−サ−の実施形態の一例を示す。
（イ）出隅用に配置した分割体４個の斜視図。
（ロ）入隅用に配置した分割体４個の斜視図。
（ハ）分割体１個の斜視図。
【図２】出隅コ−ナ−部へ取り付ける場合の取り付け例を示す。
（イ）分割体間に調節片を用いない場合の平面図。
（ロ）上記の側面図。
（ハ）分割体間に調節片を介入させた場合の平面図。
（ニ）上記の側面図。
【図３】入隅コ−ナ−部へ取り付ける場合の取り付け例を示す。
（イ）分割体間に調節片を用いない場合の平面図。
（ロ）上記の側面図。
（ハ）分割体間に調節片を介入させた場合の平面図。
（ニ）上記の側面図。
【図４】本発明のスペ−サ−にブラケットを取り付ける場合の例を示す。
（イ）調節片を用いない出隅部への取り付け例。
（ロ）調節片を用いた出隅部への取り付け例。
（ハ）調節片を用いない入隅部への取り付け例。
（ニ）調節片を用いた入隅部への取り付け例。
【図５】ブラケット取り付けの従来例を示す斜視図。
（イ）出隅コ−ナ−部への取り付け例。
（ロ）入隅コ−ナ−部への取り付け例。
【符号の説明】
１　　　ブラケット
１ａ　　手すり受け部
１ｂ　　取り付け座
１ｃ　　支柱
２　　　スペ−サ−
２ａ　　分割体
３　　　傾斜底面
４　　　上面
５　　　合接面
５ａ　　矩形合接面大
５ｂ　　矩形合接面小
５ｃ　　台形合接面
５ｃ’　台形合接面
６　　　壁下地材
７　　　柱
ｐ　　　連結用小孔
Ｂ　　　ボルト
Ｎ　　　ナット
Ｄ　　　出隅コ−ナ−部
Ｉ　　　入隅コ−ナ−部
１１　　従来のブラケット
１２　　手すり本体
Ｒ　　　面取り
Ｖ　　　取り付け片
【図１】
2004108121.tif 000003
【図２】
2004108121.tif 000004
【図３】
2004108121.tif 000005
【図４】
2004108121.tif 000006
【図５】
2004108121.tif 000007